【手続補正書】
【提出日】平成16年8月31日(2004.8.31)
【手続補正１】
【補正対象書類名】明細書
【補正対象項目名】全文
【補正方法】変更
【補正の内容】
【書類名】              明細書
【発明の名称】          乳幼児用スリング
【特許請求の範囲】
【請求項１】
１枚の布で作られた子守帯である乳幼児用スリングにおいて、スリング本体の一方の端部に形成した接続端と、他方の端部に設けたテール接続端とに第１のオス・メスジョイント手段を設け、この第１のオス・メスジョイント手段によってスリング本体の接続端相互を着脱自在にしてあることを特徴とする乳幼児用スリング。
【請求項２】
１枚の布で作られた子守帯である乳幼児用スリングにおいて、スリング本体の上端部に形成してある筒状部を通した落下防止兼長さ調節ベルトの端部に第２のオス・メスジョイント手段を設け、この第２のオス・メスジョイント手段によって落下防止兼長さ調節ベルト端部相互を結合自在にして環状に接続できるようにしたことを特徴とする乳幼児用スリング。
【請求項３】
１枚の布で作られた子守帯である乳幼児用スリングにおいて、スリング本体の一方の端部に形成した接続端と、他方の端部に設けたテール接続端とに第１のオス・メスジョイント手段を設け、この第１のオス・メスジョイント手段によってスリング本体の接続端相互を着脱自在にしてあると共に、スリング本体の上端部に形成してある筒状部を通した落下防止兼長さ調節ベルトの端部に第２のオス・メスジョイント手段を設け、この第２のオス・メスジョイント手段によって落下防止兼長さ調節ベルト端部相互を結合自在にして環状に接続できるようにしたことを特徴とする乳幼児用スリング。
【請求項４】
落下防止兼長さ調節ベルトの一端は筒状部の一方から外出させてスリング本体の一方の端部に取り付けられていて、落下防止兼長さ調節ベルトの他端は筒状部の他方からから外出させてスリング本体を締めるようになっている請求項２または３に記載の乳幼児用スリング。
【請求項５】
スリング本体には、着用使用者の肩に当たる部分に肩保護パッド部を設けてある請求項１乃至４のいずれかに記載の乳幼児用スリング。
【請求項６】
スリング本体には、スリング本体自体を折り畳み収納する収納ポケットを設けてある請求項１乃至５のいずれかに記載の乳幼児用スリング。
【請求項７】
テール接続端には、吊り環を連結してある請求項１乃至６のいずれかに記載の乳幼児用スリング。
【請求項８】
肩保護パッド部には、オス・メスジョイント手段を包むバックルカバーを設けてある請求項１乃至７のいずれかに記載の乳幼児用スリング。
【発明の詳細な説明】
【０００１】
【発明の属する分野】
この発明は、乳幼児を抱っこする時に用いる１枚布で作られた子守帯である乳幼児用スリングの構造に関する。
【０００２】
【従来の技術】
従来の乳幼児を抱っこする時に用いる１枚布で作られた子守帯である乳幼児用スリングの形状は、図５に示すように、着用使用者の肩にかけるように１枚布から成るスリング本体１と、このスリング本体１の端部相互を着脱自在に接続するために、スリング本体１の一端に形成した先細状のテール接続端２と、このテール接続端２を挿通、折り返えさせて係合させる対状のリング３とを備えているものである。
【０００３】
【発明が解決しようとする課題】
しかしながら、以上の従来技術によれば、乳幼児用スリングの着脱時にテール接続端２をリング３から緩めるか、外して被る動作が必要であり、また着用時には毎回テール接続端２で長さの調節を必要とする等の点で面倒であった。また、抱っこされた乳幼児がリング３に頭部をぶつけ、大変危険でもあった。その上、スリング本体１を収納携帯するための収納ポーチもポケットもなく、携帯には極めて不便であった。
【０００４】
そこで、この発明は、スリング本体の着脱が容易で安全性が高く、しかも携帯しやすい便利な乳幼児用スリングを提供することを課題とする。
【０００５】
【課題を解決するための手段】
以上の課題を解決するために、１枚の布で作られた子守帯である乳幼児用スリングにおいて、スリング本体１の一方の端部に形成した接続端２と、他方の端部に設けたテール接続端５とに第１のオス・メスジョイント手段を設け、この第１のオス・メスジョイント手段によってスリング本体１の接続端相互を着脱自在にしたものであり、これによって、乳幼児を抱っこし、収容するときの乳幼児用スリング自体の着脱をしやすくさせる。
【０００６】
また、スリング本体１の上端部に形成してある筒状部を通した落下防止兼長さ調節ベルト９の端部に第２のオス・メスジョイント手段を設け、この第２のオス・メスジョイント手段によって落下防止兼長さ調節ベルト９端部相互を結合自在にして環状に接続できるようにしたものであり、これによって、スリング本体１を輪状の接続形態とし、スリング本体１内に抱っこされた乳幼児が抱っこする人の体に密着されるものとしてスリング本体１内に収容した乳幼児の落下を防ぐ。そして、落下防止兼長さ調節ベルト９の一端は筒状部の一方から外出させてスリング本体１の一方の端部例えば後述の肩保護パッド部７に取り付けられていて、落下防止兼長さ調節ベルト９の他端は筒状部の他方から外出させてスリング本体１を締めるようになっているものとして構成することができる。
【０００７】
スリング本体１には、着用使用者の肩に当たる部分に肩保護パッド部７を設けてあり、これによって、着用使用者の肩の負担を軽減させる。
【０００８】
スリング本体１には、スリング本体１自体を折り畳み収納する収納ポケット１８を設けてあり、これによって、乳幼児用スリング使用時に携行する各種の小物類を収納させ、乳幼児用スリングを使用しない時はスリング本体１自体を折り畳みコンパクトに収納させる。
【０００９】
テール接続端５には、吊り環８を連結してあり、これによって、第１のオス・メスジョイント手段のオス体６の抜け落ちを防ぐと共に、玩具等を掛けることでこれらを携帯容易にする。
【００１０】
肩保護パッド部７には、第１、第２のオス・メスジョイント手段を包むバックルカバー１４を設けてあり、これによって、乳幼児の頭部の保護と、オス・メスジョイント手段夫々におけるメス体３、オス体６夫々、メス体１３、オス体１１夫々の接続が解除されることを防ぐ。
【００１１】
【発明の実施の形態】
この発明の一実施形態を図１及び図２、図３、図４に示してあり、図において示される符号１は乳幼児用スリングのスリング本体であり、このスリング本体１は乳幼児を包み込むように１枚の所定幅員の布（綿）で作られていて、このスリング本体１の端部夫々は、スリング本体１自体を窄ませて屏風たたみにして縫うことで設けられて一方は接続端２、他方はテール接続端５となっているものである（図２参照）。
【００１２】
この接続端２には、バックル構造の第１のオス・メスジョイント手段におけるメス体３が縫い付けられており、抱っこして支持するときの乳幼児等の重みでスリング本体１から外れることのないよう強力に留めつけられている（図２参照）。
【００１３】
また、スリング本体１においてのもう一方の端部であるテール接続端５には第１のオス・メスジョイント手段におけるオス体６が自由に位置決めできるようにスライド自在にして取り付けられており、スリング本体１の接続端２に縫い付けられた前記メス体３に着脱自在に嵌め合わせられることで、スリング本体１自体を輪状に接続できるようになっている。
【００１４】
そして図１に示すように輪状にしたスリング本体１を、接続端２を上側に位置させて乳幼児を抱っこする着用使用者が自身の肩にかけて使用した時において、スリング本体１における着用使用者の肩に当たる部分から接続端２にかけての縫い付けられた第１のオス・メスジョイント手段のメス体３の下部まで、肩を保護するためのクッションとなるポリエステル綿入りの肩保護パッド部７が縫い付けられている（図２、図３参照）。
【００１５】
テール接続端５の先端には、テール接続端５からオス体６が外れることのないように、また玩具等を掛けることができるように吊り環８を縫い付けてある。この吊り環８には、乳幼児用スリング使用時には乳幼児の玩具やおしゃぶり等を掛けることができ、乳幼児用スリング自体を使わないときにはスリング本体１を壁面等に適当に付設されたフック等に掛けておくこともできるようにしてある。
【００１６】
スリング本体１の上端部すなわち着用使用者が肩等に掛けたときのスリング本体１における上側の縁部には、落下防止兼長さ調節ベルト９を設けてある。この落下防止兼長さ調節ベルト９は、スリング本体１の上端部に、この上端部に沿って縫われた筒状部分の内部を通り、スリング本体１における接続端２側で筒状部分内から突出して外部に伸びた調節ベルト一端部１０に、バックル構造の第２のオス・メスジョイント手段のメス体１１を取り付けてある。このメス体１１を縫い付けた調節ベルト一端部１０は前記肩保護パッド７上に縫い付けられている。
【００１７】
一方、落下防止兼長さ調節ベルト９においての、スリング本体１における他方のテール接続端５側の上位置で筒状部分の他方の端部から外部に突出して伸びた調節ベルト他端部１２には、第２のオス・メスジョイント手段のオス体１３が取り付けられており、前記の第２のオス・メスジョイント手段のメス体１１と着脱自在に嵌め合わせられることでジョイントするようになっている。このジョイントによって、落下防止兼長さ調節ベルト９自体は、スリング本体１の上端部が輪状に接続されるものとなるようにしてある。こうすることで、落下防止兼長さ調節ベルト９をきつく締めることによって乳幼児と抱っこする着用使用者の身体とを密着させ、乳幼児の落下を防止する働きがある。と同時に、スリング本体１の接続端２、テール接続端５夫々に取り付けられた第１のオス・メスジョイント手段のメス体３、オス体６相互の接続が万が一外れても乳幼児が落下することを防ぐ働きがある。
【００１８】
また、第１のオス・メスジョイント手段におけるメス体３、オス体６夫々、第２のオス・メスジョイント手段におけるメス体１１、オス体１３夫々が、スリング本体１内に収容した乳幼児等の頭部にぶつかることや、外部の障害物等に当たることで相互間の結合接続が解除されること等を防止するために、ポリエステル綿入りのバックルカバー１４を肩保護パッド部７に縫い付けてある。このバックルカバー１４は、メス体３、オス体６夫々、メス体１１、オス体１３夫々のバックル構造部分を覆い隠すように被せ、面ファスナー１５で閉じられるようになっている。
【００１９】
更にスリング本体１の上端部すなわち着用使用者が肩に掛けて使用したときの上位置になるスリング本体１の上縁部にはポリエステル綿を挟むように布を折り込んで縫うことで形成した上縁クッション部１６を設けてある。この上縁クッション部１６は乳幼児の体を乳幼児用スリング自体の上端部が締め付けることを緩和する働きがある。
【００２０】
一方、スリング本体１の下端部すなわち着用使用者が肩に掛けて使用したときの下位置になるスリング本体１の下縁部には同様にポリエステル綿を挟むように布を折り込んで縫うことで下縁クッション部１７を設けてある。この下縁クッション部１７は乳幼児の足を乳幼児用スリング自体の下端部が締め付けることを緩和する働きがある。
【００２１】
スリング本体１の表面の中央部には収納ポケット１８を設けてあり、乳幼児用スリング使用時にはタオルやティッシュ等の小物類を入れる等のポケットとして便利に使用できるようにしてある。
【００２２】
この収納ポケット１８の開口部には面ファスナー１９が縫い付けられていて、収納した小物類等の中身が飛び出すことを防ぐようになっている。
【００２３】
また、乳幼児用スリングを使わないときには、スリング本体１自体を畳むと共にこの収納ポケット１８を裏返すことにより、収納ポケット１８自体内に収納し、図４にあるように収納ポケット１８の開口部に縫い付けられた面ファスナー１９を閉じて、乳幼児用スリング全体をコンパクトに収納することができる構造になっている。
【００２４】
更にはこの収納ポケット１８の内側下部には、一本のベルトの両端を縫いつけることで形成した持ち手２０を設けてあり、図４にあるように、収納ポケット１８を裏返して乳幼児用スリングを収納するように収納ポーチとして使用したときに、持ち手２０が外出することで乳幼児用スリング自体を容易に携帯できるように配慮してある。
【００２５】
（実施形態の効果）
以上に説明した実施形態によれば、スリング本体１の接続端２、テール接続端５夫々に縫い付けられ、取り付けられた第１のオス・メスジョイント手段のメス体３、オス体６の働きで、乳幼児を抱っこし、収容するときの乳幼児用スリング自体の着脱がしやすく、更に第２のオス・メスジョイント手段のメス体１３、オス体１１を備えた落下防止兼長さ調節ベルト９の働きにより、収容した乳幼児の落下を防ぐことができるので安全性が向上する。
【００２６】
また、テール接続端５に縫い付けられた吊り環８は、第１のオス・メスジョイント手段のオス体６が抜け落ちるのを防ぐために安全性が向上し、かつ玩具等を掛けることで携帯でき、便利である。
【００２７】
スリング本体１の肩に当たる部分から接続端２に縫い付けられた肩保護パット部７の働きにより、抱っこする人である着用使用者の肩の負担を軽減することができ、またバックルカバー１４があることにより乳幼児の頭部の保護と、オス・メスジョイント手段におけるメス体３、オス体夫々、メス体１３、オス体１１夫々の接続が解除されることを防ぐことができ、安全性を一層向上させる。
【００２８】
また、乳幼児用スリング使用時において、収納ポケット１８の働きによって小物類をこれに収納することで直接に携行する荷物を少なくすることができ、乳幼児用スリングを使用しない時はスリング本体１自体を折り畳みコンパクトに収納して、持ち手２０により携帯することが容易となる等、乳幼児用スリングを一層使いやすくすることができる。
【００２９】
（他の実施形態）
尚、図１に示された実施形態では、スリング本体１の接続端２、テール接続端５夫々に縫い付けられ、取り付けられた第１のオス・メスジョイント手段のメス体３、オス体６、落下防止兼長さ調節ベルト９自体またこの落下防止兼長さ調節ベルト９自体の端部夫々に設けた第２のオス・メスジョイント手段のメス体１３、オス体１１、肩保護パッド部７、落下防止兼調節ベルト９、バックルカバー１４、収納ポーチを兼用する収納ポケット１８等は、左肩で乳幼児用スリングを支える時の仕様であるが、右肩で使用する時にはこれに対応して構成されるように設けたものでも良い。
【００３０】
【発明の効果】
以上説明したように、この発明によれば、乳幼児用スリングにおけるスリング本体の接続端とテール接続端とを接続するために第１のオス・メスジョイント手段を用いたので着脱しやすく、スリング本体の上端に設けた落下防止兼長さ調節ベルトを第２のオス・メスジョイント手段を用いて環状に接続可能にしたので安全性が向上し、肩保護パッド部、落下防止兼調節ベルト、バックルカバー、収納ポーチを兼用するポケット、持ち手等を設けたので、安全で収納携帯しやすい上に便利である。
【図面の簡単な説明】
【図１】
この発明の一実施形態を示す斜視図である。
【図２】
この発明の一実施形態を示す正面図である。
【図３】
この発明の一実施形態を示す裏面図である。
【図４】
この発明の一実施形態を示す斜視図である。
【図５】
従来技術の一例を示す斜視図である。
【符号の説明】
１…スリング本体                        ２…接続端
３…第１のオス・メスジョイント手段のメス体
４…カシメ                              ５…テール接続端
６…第１のオス・メスジョイント手段のオス体
７…肩保護パッド部                      ８…吊り環
９…落下防止兼長さ調節ベルト
１０…落下防止兼長さ調節ベルトの調節ベルト一端部
１１…第２のオス・メスジョイント手段のメス体
１２…落下防止兼長さ調節ベルトの調節ベルト他端部
１３…第２のオス・メスジョイント手段のオス体
１４…バックルカバー                    １５…面ファスナー
１６…上縁クッション部                  １７…下縁クッション部
１８…収納ポケット                      １９…面ファスナー
２０…持ち手